(57)【特許請求の範囲】
【請求項１】
複数のメモリ領域を有するメモリ部と、
外部装置との間で、異なるＲＦＩＤタグ規格に対応した少なくとも第１の通信モードと第２の通信モードとで通信が可能な通信部と、
複数のメモリ領域のうち外部装置からのアクセスを許可するメモリ領域を、通信部と外部装置との間での通信モードに応じて制御するメモリアクセス制御部と、
を備え、
前記通信部は、前記外部装置との通信開始時は前記第１の通信モードで通信を行い、前記第１の通信モードでの通信にて前記外部装置から所定のモード移行コマンドを受けた場合に、前記第２の通信モードでの通信に切り替える、
ことを特徴とするＲＦＩＤタグ。
【請求項２】
請求項１記載のＲＦＩＤタグであって、
前記メモリアクセス制御部は、前記複数の通信モードのうち前記第１の通信モードと前記第２の通信モードとで、共通のメモリ領域へのアクセスを許可する、
ことを特徴とするＲＦＩＤタグ。
【請求項３】
請求項２記載のＲＦＩＤタグであって、
前記メモリアクセス制御部は、前記第２の通信モードでは、２以上のメモリ領域へのアクセスを前記外部装置に許可し、前記第１の通信モードでは、前記第２の通信モードで外部装置にアクセスが許可される２以上のメモリ領域のうち前記共通のメモリ領域以外の領域には前記外部装置のアクセスを許可しない、
ことを特徴とするＲＦＩＤタグ。
【請求項４】
請求項３記載のＲＦＩＤタグであって、
前記第２の通信モードは、前記第１の通信モードよりも通信速度が高速である、ことを特徴とするＲＦＩＤタグ。
【請求項５】
請求項３に記載のＲＦＩＤタグであって、
前記メモリアクセス制御部は、前記外部装置の認証を行い、認証が成功した場合にのみ、前記第１の通信モードから前記第２の通信モードへの切り換えを許可する、
ことを特徴とするＲＦＩＤタグ。
【請求項６】
請求項３に記載のＲＦＩＤタグであって、前記第１の通信モードは、ＩＳＯ規格に準拠した方式であることを特徴とする、ＲＦＩＤタグ。
【請求項７】
請求項６記載のＲＦＩＤタグであって、前記共通のメモリ領域には、該ＲＦＩＤタグが付加される対象物の識別コードが記憶されることを特徴とする、ＲＦＩＤタグ。
【請求項８】
請求項３に記載のＲＦＩＤタグであって、前記第２の通信モードは、ＩＳＯ規格に準拠した方式であることを特徴とする、ＲＦＩＤタグ。
【発明の詳細な説明】
【技術分野】
【０００１】
本発明は、ＲＦＩＤ(Radio Frequency IDentification)タグに関し、特にＲＦＩＤタグ内のメモリへのアクセス制御に関する。
【背景技術】
【０００２】
特許文献１には、ＲＦＩＤタグを複数のユーザで使用する場合の各ユーザのデータのセキュリティ確保のために、内蔵メモリを複数のメモリ領域に分割し、各メモリ領域に対して個別にパスワードを設定できるようにしたＲＦＩＤタグが開示されている。
【０００３】
特許文献２には、複数の通信方式に対応したＩＣカードが開示される。このＩＣカードは、カード端末との通信のために信号の調整をそれぞれ異なる方式で行う複数の信号インタフェースと、一の信号インタフェースが調整した信号が適切に調整されたか否かを判定する調整判定部と、調整判定部により否と判定された場合に、調整を行う信号インタフェースを一の信号インタフェースから他の信号インターフェースに切り換える切り換え制御部とを備える。
【０００４】
特許文献１の方式は、パスワード保護されたメモリ領域にアクセスする場合、パスワードの入力が必要であるため処理が繁雑になる。
【０００５】
【特許文献１】特開２００２−２５９９２７号公報
【特許文献２】特開２００４−１９２２５３号公報
【発明の開示】
【発明が解決しようとする課題】
【０００６】
本発明は、ＲＦＩＤタグ内のメモリのデータ保護に対し、新たな方式を提供する。
【課題を解決するための手段】
【０００７】
本発明は、複数のメモリ領域を有するメモリ部と、外部装置との間で、異なるＲＦＩＤタグ規格に対応した少なくとも第１の通信モードと第２の通信モードとで通信が可能な通信部と、複数のメモリ領域のうち外部装置からのアクセスを許可するメモリ領域を、通信部と外部装置との間での通信モードに応じて制御するメモリアクセス制御部と、を備え、前記通信部は、前記外部装置との通信開始時は前記第１の通信モードで通信を行い、前記第１の通信モードでの通信にて前記外部装置から所定のモード移行コマンドを受けた場合に、前記第２の通信モードでの通信に切り替える、ことを特徴とするＲＦＩＤタグを提供する。
【発明を実施するための最良の形態】
【０００８】
以下、図面を参照して、本発明の実施の形態について説明する。
【０００９】
図１は、本発明に係るＲＦＩＤタグの実施の形態の構成を示すブロック図である。このＲＦＩＤタグ１は、無線により外部装置２と通信する。外部装置２は、例えば、ＲＦＩＤタグ１が記憶するデータを読み取るタグリーダ、又はＲＦＩＤタグ１にデータを書き込むタグライタ、或いはそれら両者の機能を併せ持つリーダ・ライタである。
【００１０】
ＲＦＩＤタグ１は、外部装置２との間での無線通信のためのアンテナ５０と、そのアンテナに接続されたチップ１０と備えている。本実施形態のＲＦＩＤタグ１は、ＩＳＯ１５６９３（又はＩＳＯ１８０００）（近傍型）とＩＳＯ１４４４３（近接型）の２種類のＲＦＩＤタグ規格に準拠する。ＩＳＯ１５６９３（又はＩＳＯ１８０００）とＩＳＯ１４４４３とは、共に１３．５６ＭＨｚの搬送波を利用するものなので、アンテナ５０はそれら両規格で共通のものとしている。
【００１１】
チップ１０は、電波（ＨＦ）インタフェース２０，制御回路３０，及びメモリ４０の各回路を集積した集積回路チップである。
【００１２】
電波インタフェース２０は、アンテナ５０のアナログ高周波通信チャネルと、制御回路４０等のデジタル回路とのインターフェースのための回路である。電波インタフェース２０内の第１信号処理回路２２及び第２信号処理回路２４は、外部装置２との間で送受信する信号をＲＦＩＤタグ規格に従って信号処理する回路である。第１信号処理回路２２はＩＳＯ１５６９３（又はＩＳＯ１８０００）に従った信号処理を行い、第２信号処理回路２４はＩＳＯ１４４４３に従った信号処理を行う。また、電力抽出回路２６は、外部装置２からアンテナ５０を介して入力される交流電力から、チップ１０内の各回路に供給する電源電圧となる電力を抽出する。また、クロック抽出回路２８は、アンテナ５０から入力された高周波信号から、チップ１０内の各回路に供給するシステムクロックを抽出する。これら、第１信号処理回路２２，第２信号処理回路２４，電力抽出回路２６及びクロック抽出回路２８は、従来から公知のものを用いることができる。
【００１３】
制御回路３０は、第１信号処理回路２２又は第２信号処理回路２４から供給されるデジタル信号が示すコマンドやデータに従って、チップ１０内の各回路の制御や、外部装置２への応答などの処理を行う。例えば、制御回路３０は、外部装置２から指定されたアドレスのデータをメモリ４０から読み出して外部装置２へ返信したり、外部装置２から入力されたデータをメモリ４０内の指定されたアドレスに書き込んだりする。制御回路３０は、ＩＳＯ１５６９３（又はＩＳＯ１８０００）に規定されたコマンド群や、ＩＳＯ１４４４３又はこれに準拠する独自規格により規定されたコマンド群に従って処理を実行する。
【００１４】
メモリ４０は、ＥＥＰＲＯＭ(Electronically Erasable and Programmable Read Only Memory)又はＲＯＭ(Read Only Memory)などの半導体メモリである。メモリ４０は複数のバンク（領域）に区分されており、制御回路３０はバンク単位で読み書きを制御する。図示例では、メモリ４０は４バンクに区分されているが、これはあくまで一例に過ぎない。また、メモリ４０には、ＥＥＰＲＯＭ部分とＲＯＭ部分とが混在していてもよい。
【００１５】
以上のような構成のＲＦＩＤタグ１において、制御回路３０は、メモリ４０の各バンクのうち外部装置２からのアクセスを許可するバンクを、外部装置２との間で確立できた通信モードに応じて選択する。その選択規則の一例を図２に示す。
【００１６】
図２の例では、ＩＳＯ１５６９３（又はＩＳＯ１８０００）に準拠した第１通信モードでは、外部装置２には、図１に示した４つのバンクのうちバンク１のみしか使用を許可しない。それに対し、ＩＳＯ１４４４３に準拠した第２通信モードでは、４つのバンクすべての使用を外部装置２に許可する。
【００１７】
このようなメモリアクセス制御のため、制御回路３０は、図３に示すような状態遷移で状態制御を行う。すなわち、まず無線タグ１が電源オフ状態（１０２）にある場合において、外部装置２からの電力供給を受けて電源がオンされると（１１２）、制御回路３０は、ＩＳＯ１５６９３（又はＩＳＯ１８０００）に準拠した第１通信モード（１０４）での制御動作を実行する。第１通信モードでは、制御回路３０は、デジタル信号の供給元として第１信号処理回路２２を選択し、この回路２２からのデジタル信号に従って動作する。また、第１通信モードでは、制御回路３０は、外部装置２からメモリ４０のバンク２〜４に対するアクセスを禁止する。すなわち、第１通信モードでは、制御回路３０は、外部装置２からの読み出しコマンドや書き込みコマンドの対象アドレスがバンク２〜４に属する場合には、そのコマンドの実行を取りやめる。このとき、制御回路３０が、外部装置２に対してエラーコードを返すようにしてもよい。また、第１通信モードでは、外部装置２からバンク１内のアドレスに対する読み出しや書き込みが指示された場合、制御回路３０はその指示を実行する。
【００１８】
以後、制御回路３０は、第２通信モードに移行する旨を示す移行コマンド（１１４）を外部装置２から受け取るまで、或いは外部装置２からの電力供給が絶たれて電源がオフ（１１６）されるまでは、第１通信モードの状態を維持する。
【００１９】
移行コマンド（１１４）を外部装置２から受け取ると、制御回路３０は、第２通信モード（１０６）に移行する。第２通信モードでは、制御回路３０は、デジタル信号の供給元として第２信号処理回路２４を選択し、この回路２４からのデジタル信号に従って動作する。第２通信モードでは、制御回路３０は、バンク１〜４に対する外部装置２からの読み出し又は書き込みの要求を全て許可する。無線タグ１が第２通信モードの状態にあるときに、電源が断たれると（１１６）、電源オフ状態（１０２）に移行する。なお、第２通信モードから第１通信モードに移行する復帰コマンドを規定し、外部装置２からこの復帰コマンドが送信されてきた場合に、制御回路３０が第１通信モードへの移行を行うようにしてもよい。
【００２０】
なお、以上の実施形態では、第１通信モード用の第１信号処理回路２２と、第２通信モード用の第２信号処理回路２４とを別々に設けたが、同一の信号処理回路を２つの通信モードで兼用してもよい。この場合、制御回路３０は、その共通の信号処理回路を、電源オン時は第１通信モードに準拠して動作させ、移行コマンドを受け取ると第２通信モードに準拠して動作するように、その信号処理回路の動作パラメータを切り換えるなどの制御を行えばよい。
【００２１】
以上に説明したＲＦＩＤタグ１を用いれば、通信モードの切替によって外部装置２にアクセスを許可するメモリ領域を切り替えることができるので、保護のためのパスワード設定や、保護を解除するためのパスワード入力などといった処理を行わなくてもよい。また、本実施形態では、外部装置２が対応するＲＦＩＤタグ規格に応じて、その外部装置２がアクセスできるメモリバンクが変わるので、目的・用途ごとに異なるタグ規格の外部装置２を用いることで、容易にメモリ領域の使い分けをすることができる。
【００２２】
例えば、ＩＳＯ１５６９３（又はＩＳＯ１８０００）に準拠した外部装置２を用いればバンク１のみを使用でき、ＩＳＯ１４４４３に準拠した外部装置２（ただし、最初のリクエストコマンドと移行コマンドはＩＳＯ１５６９３又はＩＳＯ１８０００で発行できる必要がある）を用いれば、バンク１〜４を使用できる。
【００２３】
また、本実施形態によれば、２つの通信モード（言い換えればＲＦＩＤタグ規格）が共通利用できる領域をメモリ４０内に設けたので、異なる通信モードにそれぞれ対応した外部装置２同士の間で、その共通領域を利用してデータを受け渡したり、データを共用したりすることが可能になる。
【００２４】
また、本実施形態では、第２通信モード（ＩＳＯ１４４４３）が第１通信モード（ＩＳＯ１５６９３又はＩＳＯ１８０００）よりも高速なので、バンク２〜４のセキュリティを強化できる。すなわち、例えばＲＦＩＤタグのコピー品の作り方の１つとして、ＲＦＩＤタグの処理をソフトウエアでエミュレーションする方法がある。この方法のコピー品は、外部装置から受信した電波から再生したクロックに従ってプログラムを実行することで、正規品の動作を模擬する。このため、ＩＳＯ１５６９３又はＩＳＯ１８０００より高速なＩＳＯ１４４４３の動作を模擬することは困難になる。このように、第２通信モードでの動作の模擬が困難になるため、第２通信モードでしかアクセスできないバンク２〜４の保護が強化される。
【００２５】
以上に説明したＲＦＩＤタグ１の応用分野の例としては、例えば複写機や複合機などの画像形成装置の消耗品（交換部品）管理を挙げることができる。
【００２６】
画像形成装置には、従来よりトナーカートリッジや感光体ドラムカートリッジなどの交換可能な消耗品に対し記憶媒体を装着し、画像形成装置からその記憶媒体に対してデータの読み書きを行うことで、適切な画像形成動作が行えるようにしている。例えば消耗品の記憶媒体には、その消耗品の使用量のデータが画像形成装置から書き込まれる。また、その消耗品が適切な条件で動作できるようにするために、例えばその消耗品の識別情報やその消耗品が最適に機能するための各種制御パラメータなどを、消耗品の製造工場などにおいて予めその記憶媒体に書き込んでおくことも行われている。そして近年では、消耗品に装着する記録媒体としてＲＦＩＤタグの利用が進みつつある。無線タグは非接触でデータの読み書きができるため、有線接続方式の読み書きと比べた場合、装置構造上の制約が緩和される利点がある。
【００２７】
このように、消耗品に装着されるＲＦＩＤタグを、消耗品の物流管理にも利用することを考える。例えば、工場、倉庫、営業所、港、空港、運送会社の物流センターなどといった物流拠点でそのＲＦＩＤタグを読み取ることで、どの消耗品がどの物流拠点に存在するか、或いはどの物流拠点を通過したかなどといった管理を行うことが考えられる。
【００２８】
ところが、消耗品のＲＦＩＤタグ内には、画質調整パラメータなどの制御パラメータなども書き込まれており、これが工場等の正しい機関以外の場所で変更されてしまうと、消耗品が最適な状態で機能できず、ユーザにとって不利益をもたらすおそれがある。そこで、ＲＦＩＤタグ内のデータが物流拠点などで誤って書き換えられることがないようにすることが重要である。
【００２９】
このような課題を解決するために、消耗品に装着するＲＦＩＤタグとして本実施形態のＲＦＩＤタグ１を採用し、制御パラメータなどのように物流拠点などで書き換えられたり、読み取られたりすると問題があるデータはバンク２〜４に記憶させるようにし、物流管理のためのデータはバンク１に記憶させるようにする。この場合、各物流拠点に設けるタグリーダ、タグライタ、又はリーダ・ライタ（以下、「リーダ・ライタ等」と略す）はＩＳＯ１５６９３（又はＩＳＯ１８０００）に準拠したものとし、画像形成装置に内蔵するリーダ・ライタ等はＩＳＯ１４４４３に準拠したものとする。なお、図３のような状態遷移でＲＦＩＤタグ１を制御する場合、画像形成装置に設けるリーダ・ライタ等は、ＩＳＯ１４４４３に準拠した動作の他に、ＲＦＩＤタグ１に対する最初の呼びかけ（リクエストコマンド）と移行コマンド（１１４）を、ＩＳＯ１５６９３（又はＩＳＯ１８０００）に準拠した通信方式で発信する機能を持つようにする。移行コマンドを発行した後は、リーダ・ライタ等はＩＳＯ１４４４３に準拠した通信を行う。ＩＳＯ１５６９３又はＩＳＯ１８０００（近傍型）はＩＳＯ１４４４３（近接型）よりも通信速度は遅いが通信可能な距離が長いので、物流拠点での読み書きの場合のように、対象となる消耗品が梱包されていてリーダ・ライタ等が余り近づけられない場合にも利用できる。これに対し、画像形成装置では、装着した消耗品のＲＦＩＤタグの近くにリーダ・ライタ等を設けるように設計すれば、ＩＳＯ１４４４３に対応することができ、そうすれば高速で読み書きを行うこともできるので有利である。また、ＩＳＯ１５６９３又はＩＳＯ１８０００（近傍型）は、この規格に準拠しているリーダ・ライタ等ならば、基本的にどのメーカーのものでもこの規格のＲＦＩＤタグの読み取り又は書き込みが可能である。このようにＩＳＯ１５６９３又はＩＳＯ１８０００は汎用性が高いので、海外拠点も含む様々な物流拠点でのリーダ・ライタ等の設備導入が容易になる。また、この規格に準拠しているリーダ・ライタ等を有する拠点ならば、この消耗品の物流システムに容易に参加できる。これに対し、ＩＳＯ１４４４３は、ICカード等セキュリティが必要な場合、コマンド体系も独自のものとすることができる。したがって、画像形成装置のリーダ・ライタ等とＲＦＩＤタグ１の第２信号処理回路２４をこの独自規格のものとすることで、一般のリーダ・ライタではＲＦＩＤタグ１にアクセスしにくくすることも可能である。
【００３０】
このようなことから、物流管理用にＩＳＯ１５６９３（又はＩＳＯ１８０００）を用い、画像形成装置での利用のためにＩＳＯ１４４４３を用いることは好適である。
【００３１】
また、この場合、バンク１には、国際的非営利組織であるオートＩＤセンター(Auto-ID center)が提唱したＥＰＣ(Electronic Product Code)などといった製品管理用のコードを保持させることも好適である。これにより、各物流拠点での消耗品の個体識別が可能になる。また、このコードを画像形成装置が読み取ることで、どの番号の消耗品が装着されているか、画像形成装置側で把握できる。
【００３２】
以上のような構成とすることで、物流拠点ではバンク１のみにしかアクセスすることができないので、バンク２〜４のデータを保護することができる。また、画像形成装置に消耗品を装着した場合、保護されたバンク２〜４も利用することができる。
【００３３】
また、本実施形態のＲＦＩＤタグ１では、バンク１は物流管理用、画像形成装置用の両方で利用可能としているので、ＲＦＩＤタグ１の利用範囲が広がる。例えば、画像形成装置のリーダ・ライタからＲＦＩＤタグ１に対し消耗品の使用量カウントデータを書き込む場合、このデータは重要なデータなので保護されたバンク２〜４のいずれかに書き込むが、同じデータをバンク１にも書き込むようにする。これにより、例えばその消耗品の回収時などに回収作業員が持つＩＳＯ１５６９３準拠のリーダ・ライタ等でバンク１の使用量カウントデータを読み取れば、その消耗品がまだ使用できるかどうかを簡便に確認できる。なお、バンク２〜４には正しい使用量カウントデータが記憶されているので、バンク１の使用量カウントデータは単に簡易確認用のものと位置づけておけば、これが仮に改ざんされたとしても大きな問題にはならない。
【００３４】
また、バンク１を物流管理と画像形成装置で共用すれば、物流拠点でバンク１に書き込まれたデータを画像形成装置で読み取って利用することもできる。
【００３５】
また、本実施形態によれば、汎用性のある物流用タグとしての機能と、画像形成装置で用いるセキュリティメモリとしての機能とを１つのタグチップとして実現できる。
【００３６】
以上、画像形成装置の消耗品への適用例を示したが、本実施形態のＲＦＩＤタグ１はこのような例に限らず、様々な分野に適用可能である。例えば、交換部品の物流管理のフェーズとその交換部品を実際に使用するフェーズとで共通のＲＦＩＤタグを利用しつつ、フェーズごとにＲＦＩＤタグのメモリ領域を使い分けることができる。
【００３７】
また、上記実施形態では、ＲＦＩＤタグ１は電源オン時にＩＳＯ１５６９３又はＩＳＯ１８０００に準拠した第１通信モードで起動するようにしていたので、第２通信モード（ＩＳＯ１４４４３）で読み書きを行うための外部装置２も、ＲＦＩＤタグ１への最初の呼びかけの際にはＩＳＯ１５６９３又はＩＳＯ１８０００に準拠したコマンド送信を行う機能が必要であった。このことは、ＩＳＯ１４４４３準拠の一般的なリーダ・ライタ等ではＲＦＩＤタグ１にアクセスできないため、バンク２〜４へのセキュリティを向上させる側面を持っている。
【００３８】
以上の実施形態ではあくまで一例に過ぎず、本発明の技術的思想の範囲内で様々な変形が考えられる。
【００３９】
例えば、以上の実施形態において、第１通信モードから第２通信モードへの移行コマンドを外部装置２から受け取った場合に、ＲＦＩＤタグ１がその外部装置２が正当なものであるかどうかを認証するようにしてもよい。認証には、パスワード認証やＳＨＡ(Secure Hash Algorithm)認証など既存の認証方式を用いればよい。いずれの方式でも、外部装置２が、正当な外部装置でなければ知らない秘密の鍵情報又はパスワードを知らない限り、この認証は成功しない。認証が成功しなければ、ＲＦＩＤタグ１は第２通信モードには移行せず、したがってバンク２〜４へのアクセスを外部装置２に許可することもない。このように第２通信モードへの移行に認証を要求することで、バンク２〜４を更に強固に保護することができる。また、メモリ４０内の各バンクごとに個別に鍵情報を設定できるようにすれば、バンクごとのデータ保護も可能である。
【００４０】
また、上記実施形態では、ＲＦＩＤタグ１は電源オン時にＩＳＯ１５６９３又はＩＳＯ１８０００に準拠した第１通信モードで起動するので、バンク２〜４にアクセスする外部装置２はそれに対応している必要があった。これに対し、第２通信モードのみに対応した外部装置２でもＲＦＩＤタグ１にアクセスできるようにしてもよい。これには、例えば、制御回路３０が、電源オン時に、第１信号処理回路２２からの入力信号と第２信号処理回路２４からの入力信号を同時並列的で監視し、通信の開始を要求するコマンド（リクエストコマンドなど）を入力信号から解釈できた方の信号処理回路２２又は２４を選択し、以降はその選択した信号処理回路２２又は２４に対応する通信モードで動作する。なお、同時並列的な監視の代わりに、制御回路３０が各信号処理回路２２及び２４からの入力信号からコマンドを検出できるかどうかを順番に判定していくことで、通信モードを判別してもよい。
【００４１】
また以上ではメモリ４０が４つのバンクに分割されていたが、これは一例に過ぎない。２以上のバンクに分割されているメモリであれば、本発明は適用できる。
【００４２】
また以上ではバンク１〜４のうち１つが第１通信モードと第２通信モードで共用できたが、そのような共用バンクが２以上あってもよい。
【００４３】
また以上では、第１通信モードと第２通信モードの両方でアクセスできるバンクを設けたが、そのような共用バンクを設けない態様も本発明の範囲内である。
【００４４】
また、以上の例では、ＲＦＩＤタグ１が対応する通信モード（無線タグ規格）は２つであったが、これが３以上であってももちろんよい。通信モードが３以上ある場合も、基本的な制御を２つの場合と同様である。すなわち、ＲＦＩＤタグ１の制御回路３０は、外部装置２が使用している通信モードに応じて、メモリ４０のうちで外部装置２に使用を許可するバンクを判定し、それら使用を許可するバンク以外へのアクセスを禁止すればよい。
【００４５】
また、以上の例では、通信モードの例として、ＩＳＯ１５６９３（又はＩＳＯ１８０００）に準拠したモードとＩＳＯ１４４４３に準拠したモードを例示したが、他の無線タグ規格を用いてももちろんかまわない。
【００４６】
また、上述の実施形態では、第１通信モードでは、外部装置２に対しバンク２〜４の読み書き両方を認めなかったが、バンク２〜４のうち予め定められた１個〜複数のバンクについては読み出しを認めるようにしてもよい。このように、本発明におけるメモリ領域（バンク）へのアクセスの許可及び禁止の制御は、読み出し、書き込みなどといった操作内容レベルでの制御も含むものとする。
【００４７】
また、以上の実施形態では、ＲＦＩＤタグ１は外部装置２から電源供給を受けるタイプのものであったが、電池内蔵タイプのＲＦＩＤタグにも本発明が適用可能であることは明らかであろう。
【図面の簡単な説明】
【００４８】
【図１】本発明に係るＲＦＩＤタグの実施の形態の構成を示すブロック図である。
【図２】外部装置からのアクセスを許可するメモリバンクの選択規則の一例を示す図である。
【図３】実施形態のＲＦＩＤタグの状態遷移を示す図である。
【符号の説明】
【００４９】
１  ＲＦＩＤタグ、２  外部装置、１０  チップ、２０  電波インタフェース、２２  第１信号処理回路、２４  第２信号処理回路、２６  電力抽出回路、２８  クロック抽出回路、３０  制御回路、４０  メモリ、５０  アンテナ。
【図１】
0004839751.tif 000002
【図２】
0004839751.tif 000003
【図３】
0004839751.tif 000004